(57)【要約】【課題】簡単な構成により、遊技機のパネルの意匠性を損なうことなく、作業性が良好で、かつ不正行為が困難な遊技機を提供する。【解決手段】受皿ユニット６は、外装部材６３の前面部６３１に取り付けられた透明保護パネル６６と受皿部材６４の前面部６３１の間の空隙に収納スロットを形成し、透明プレート８１が前扉３の内側面に設けられた透明プレート挿入口３０６から収納スロットに挿入することで、証紙表示窓６０２ａ、６０２ｂ、６０２ｃから当該透明プレート８１及び透明保護パネル６６を介して前記証紙８２ａ、８２ｂ、８２ｃが視認可能となる構造を採用しているので、簡単な構成により、遊技機のパネルの意匠性を損なうことなく、作業性が良好で、かつ不正行為を困難にすることができる。【選択図】図４
2008104577.tif 000002
【特許請求の範囲】
【請求項１】
複数の識別情報を可変表示可能な可変表示装置を備え、該可変表示装置を収容する筐体と該筐体の前面開口部を閉塞する前扉を有し、該前扉には、前記可変表示装置の識別情報を視認可能な上部パネルと、遊技機の機種情報が表示された下部パネルと、該下部パネルの下方に設けられ遊技媒体を貯留する受皿部が設けられた受皿ユニットと、を備えた遊技機であって、
透光性を有する素材で形成され、証紙を保持する透明プレートを備え、
前記受皿ユニットの前面部に、証紙表示窓と、前記透明プレートが収納される収納スロットを設け、
前記前扉の内側面に、前記受皿ユニットの内部空間を介して前記収納スロットと連通すると共に、前記透明プレートがその一端側から挿入される透明プレート挿入口を設け、
前記収納スロットが、前記透明プレート挿入口から挿入された前記透明プレートを、前記証紙表示窓から当該透明プレートを介して前記証紙が視認可能な状態で収納することを特徴とする遊技機。
【請求項２】
前記透明プレートの他端側を保持し、前記透明プレートが前記収納スロットに収納された状態で前記透明プレート挿入口と嵌合する嵌合部材を更に備えることを特徴とする請求項１に記載の遊技機。
【請求項３】
透光性を有する材質で形成され、前記証紙表示窓を閉塞する透光性部材を更に備えることを特徴とする請求項１または２に記載の遊技機。
【発明の詳細な説明】
【技術分野】
【０００１】
本発明は、スロットマシン等の遊技機に関し、特に遊技機の性能、仕様或いは特許権等の実施許諾を証する証紙を備えた遊技機に関する。
【背景技術】
【０００２】
従来、スロットマシン等の遊技機は、遊技者の射幸心を徒に煽ることを防止するため、また不正な手段により遊技機の性能、仕様を超える遊技媒体が取得されることを防止するために、法令等に基づきその性能、仕様に関して様々な規則が定められている。従ってこれらの遊技機を市場に供給するには、事前に公的な第三者機関による検査を受け、遊技機の性能、仕様が各規則に適合していることの認定を受ける必要がある。そしてこれらの遊技機の前面部には、規則への適合を証する証紙が表示される。
【０００３】
また、第三者の特許権等の実施許諾を受けている場合、その実施許諾を受けていることを証する許諾証紙を表示することもある。
【０００４】
図１４及び図１５は従来のスロットマシンの一例を示す図であり、図１４はスロットマシン５０１の外観を示す斜視図、図１５はスロットマシン５０１の前扉５０３及び前面下部パネル部５５０を開放した状態を示す斜視図である。
【０００５】
図１４において、スロットマシン５０１は、略矩形状の箱体である筐体５０２と、当該筐体５０２と蝶番機構により開閉可能に取り付けられた前扉５０３とを備えている。
【０００６】
前扉５０３の前面側は、上部パネル部５０４と下部パネル部５５０に略区分けされ、これらは視覚効果を高めてデザインされたいわゆる化粧板として、硬質プラスチックにより形成されている。
【０００７】
下部パネル部５５０には、スロットマシン５０１のモデルタイプを遊技者へ認識させる等のため、登場キャラクターの絵などの意匠を表示するパネル５０５が設けられている。
【０００８】
パネル５０５の左右の下部には表示窓５１０ａ、５１０ｂが設けられており、これら表示窓５１０ａ、５１０ｂを通してパネル５０５の内側に配置された証紙５１１ａ、５１１ｂが視認できるようになっている。証紙５１１ａ、５１１ｂは、スロットマシン５０１の前面から容易に視認可能な方法で表示する必要があるが、権限のある者以外の者に剥がされたり貼り替えられたりすることを防止するために、表示窓５１０ａ、５１０ｂを透明なプラスチックやガラスで形成し、その内側に証紙５１１ａ、５１１ｂを配置する構成が一般的である。
【０００９】
図１５はスロットマシン５０１の前扉５０３を開錠して筐体５０２から開放し、さらに下部パネル部５５０を前扉５０３から開放した状態を示している。図１５において、下部パネル部５５０は、ヒンジ５２３を支点に回動可能に前扉５０３に取り付けられており、下部パネル部５５０の内側に突設された２つの係止突片５２０ａ、５２０ｂを前扉５０３に穿設形成した係止孔５２１ａ、５２１ｂに係止させて、下部パネル部５５０を前扉５０３に固定する構造になっている。
【００１０】
前扉５０３のパネル５０５の後部には２本の冷陰極蛍光管５２２ａ、５２２ｂが配置され、これら２本の冷陰極蛍光管５２２ａ、５２２ｂはパネル５０５の後方からパネル５０５に描かれたキャラクターの絵などの意匠を照明するバックライトとして機能する。
【００１１】
下部パネル部５５０を前扉５０３から開放するには、前扉５０３を開錠して筐体５０２から開放した後に、前扉５０３の内側から下部パネル部５５０の係止突片５２０ａ、５２０ｂの先端を係止孔５２１ａ、５２１ｂとの係合を解除させつつ前方へ押し出す必要がある。
【００１２】
上述の手順で下部パネル部５５０を前扉５０３から開放した後、パネル５０５に形成された表示窓５１０ａ、５１０ｂに証紙５１１ａ、５１１ｂを配置する。証紙５１１ａ、５１１ｂはその印刷面側に接着剤を塗布したシール状としたものを表示窓５１０ａ、５１０ｂに貼着するか、証紙５１１ａ、５１１ｂを別途プレートに固着してそのプレートを表示窓５１０ａ、５１０ｂに固着して配置される。
【００１３】
このように構成されたスロットマシン５０１は、前扉５０３を開錠して筐体５０２から開放し、さらに下部パネル部５５０を前扉５０３から開放しない限り証紙５１１ａ、５１１ｂに触れることができないので、不正に証紙５１１ａ、５１１ｂを貼り替えるような行為を防止することができる。
【００１４】
このような技術について、例えば特開２００３−７９９０５号公報に開示されている（段落番号「００５２」、図１２、符号１１０、１２０参照）。
【００１５】
【特許文献１】特開２００３−７９９０５号公報
【発明の開示】
【発明が解決しようとする課題】
【００１６】
しかしながら、このような従来の遊技機においては、下部パネル部のパネルに描かれるキャラクター等の意匠は、遊技者に興趣を惹起させ遊戯する機種を選択させる大きな訴求点となっているにもかかわらず、当該機種のキャラクター等とは全く無縁の証紙がパネルの一部を占めてしまい、パネルの意匠性が損なわれるという課題があった。
【００１７】
また、この種の証紙は薄いシール状のもので取り扱いが面倒である上、遊技機に証紙を配置する際に、下部パネルの後方の前扉にバックライトとしての冷陰極蛍光管等が配設されている関係上、前扉を開けた後にさらに下部パネルを外さなくてはならず、この作業が煩雑であるという課題があった。
【００１８】
本発明は上述した課題を解決するためになされたものであり、簡単な構成により、遊技機のパネルの意匠性を損なうことなく、作業性が良好で、かつ不正行為が困難な遊技機を提供することを目的とする。
【課題を解決するための手段】
【００１９】
上述した課題を解決するため、請求項１に記載の発明は、複数の識別情報を可変表示可能な可変表示装置を備え、該可変表示装置を収容する筐体と該筐体の前面開口部を閉塞する前扉を有し、該前扉には、前記可変表示装置の識別情報を視認可能な上部パネルと、遊技機の機種情報が表示された下部パネルと、該下部パネルの下方に設けられ遊技媒体を貯留する受皿部が設けられた受皿ユニットと、を備えた遊技機であって、透光性を有する素材で形成され、証紙を保持する透明プレートを備え、前記受皿ユニットの前面部に、証紙表示窓と、前記透明プレートが収納される収納スロットを設け、前記前扉の内側面に、前記受皿ユニットの内部空間を介して前記収納スロットと連通すると共に、前記透明プレートがその一端側から挿入される透明プレート挿入口を設け、前記収納スロットが、前記透明プレート挿入口から挿入された前記透明プレートを、前記証紙表示窓から当該透明プレートを介して前記証紙が視認可能な状態で収納することを特徴とする。
【００２０】
請求項２に記載の発明は、請求項１に記載の遊技機であって、前記透明プレートの他端側を保持し、前記透明プレートが前記収納スロットに収納された状態で前記透明プレート挿入口と嵌合する嵌合部材を更に備えることを特徴とする。
【００２１】
請求項３に記載の発明は、請求項１または２に記載の遊技機であって、透光性を有する材質で形成され、前記証紙表示窓を閉塞する透光性部材を更に備えることを特徴とする。
【００２２】
請求項１に記載の遊技機によれば、証紙を保持する透明プレートを、前扉の内側面に設けられた透明プレート挿入口から収納スロットに挿入することで、証紙表示窓から当該透明プレートを介して前記証紙が視認可能となる構造を採用しているので、簡単な構成により、遊技機のパネルの意匠性を損なうことなく、作業性が良好で、かつ不正行為を困難にすることができる。また、証紙を配置する際に、下部パネルを取り外す必要がないので、証紙の配置作業性を向上することができる。
【００２３】
請求項２に記載の遊技機によれば、前記透明プレートの他端側を保持する嵌合部材が透明プレート挿入口と嵌合することで、収納スロット内における透明プレートの位置決めが容易にし、証紙の取り扱いを容易にすることができる。
【００２４】
請求項３に記載の遊技機によれば、透明プレートに対する証紙表示窓の外側からの接触を前記透光性部材により防止できるので、不正行為がさらに防止することができる。
【発明の効果】
【００２５】
本発明の遊技機によれば、簡単な構成により、遊技機のパネルの意匠性を損なうことなく、作業性が良好で、かつ不正行為を困難にすることができる。
【発明を実施するための最良の形態】
【００２６】
以下、本発明に係る遊技機の好適な一実施形態を、スロットマシンを例に図面を参照して説明する。なお、図１は、スロットマシン１の外観構造を表した斜視図である。図２は、前扉３を開放した状態におけるスロットマシン１の内部構造を表した平面図である。図３は、スロットマシン１の制御システムを表したブロック図である。
【００２７】
図１において、スロットマシン１は、略矩形状の箱体である筐体２と、当該筐体２と蝶番機構により開閉可能に取り付けられた前扉３とを備えている。前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダルを貯留する受皿部６ａが一体的に形成された受皿ユニット６が設けられている。
【００２８】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５及び受皿ユニット６は、遊技者側に面し、これらによって「前面パネル部」が構成される。
【００２９】
上部パネル部４の中央には、硬質プラスチック板等で形成されたパネル面４１が設けられている。パネル面４１のほぼ中央には略長方形の透明な表示窓４２が形成され、この表示窓４２を通して筐体２内に設けられている可変表示装置を構成するリールユニット１００の３個のリール１０１ａ、１０１ｂ、１０１ｃ（図２参照）が目視される。
【００３０】
上部パネル部４の上部には、レンズパネル４６ａの内部に高輝度発光ダイオード等の光源を内蔵する照明演出装置４６と、ゲームに係る効果音を発生させるスピーカを内蔵する演出用放音部４７ａ、４７ｂがそれぞれ配置されている。
【００３１】
また、演出用放音部４７ａ、４７ｂの間には、透明な硬質プラスチック板等が嵌め込まれて形成された表示窓４８ａに面して遊技機の演出装置として液晶表示演出装置４８が配置されている。なお、液晶表示演出装置４８は、ゲームの演出に係る映像やゲーム（遊技）に関する情報を主に表示する。
【００３２】
上部パネル部４の側部には、蛍光灯や高輝度発光ダイオードで形成された演出用照明部４９ａ、４９ｂが設けられている。上部パネル部４は、ゲームの進行に応じて上述した照明演出装置４６、複数の演出用照明部４９ａ、４９ｂ等が点灯又は点滅することで、ゲームにおける視覚的な演出効果を高めるように形成されている。
【００３３】
操作卓７の上面右側には、メダルを投入するためのメダル投入口７１ａを有するメダル投入部７１が設けられている。また、当該上面の左側には、押しボタンスイッチである２個のベットボタン７２、７３が設けられている。
【００３４】
ベットボタン７２、７３はスロットマシン１の１ゲームに賭けるメダルの枚数を提示するためのボタンスイッチである。ゲームを開始する際に、ベットボタン７２が１回押圧操作されることで、貯留されているメダルから１枚のメダルがゲームに対して賭けられ、同様にベットボタン７２が２回押圧操作されることで２枚のメダルが賭けられる。また、ベットボタン７３が押圧操作されることで３枚のメダルが当該ゲームに賭けられる。なお、ベットボタン７３は、最大枚数のメダルを賭けることから、特に「マックスベットボタン」と呼ばれている。
【００３５】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、この操作旱が傾倒操作されるとオン、操作旱から手が離されるとスプリングの付勢力によって自動的に元の位置に戻ってオフ状態となるスイッチユニットで形成されている。
【００３６】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３７】
さらに、操作卓７の前面の左隅には、ゲームに賭けられたメダルをキャンセルして払い出させることを指示するとともに、後述するメダルクレジット手段２１０（図３参照）が内部貯留したメダルを精算して払い出させることを指示するための精算ボタン７７が設けられている。
【００３８】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００３９】
下部パネル部５には、スロットマシン１のモデルタイプを遊技者へ認識させる等のため、登場キャラクターの意匠などを表示する下部パネル５１が設けられている。下部パネル部５の下側には、入賞時にメダルを排出するメダル払出口６１と、演出効果音を発生させるスピーカを内蔵する演出用放音部６２ａ、６２ｂと、受皿ユニット６がそれぞれ配置されている。
【００４０】
受皿ユニット６は、前面部に証紙表示部６３０となる証紙表示窓６３０ａ、６３０ｂ、６３０ｃが形成された外装部材６３と、メダル払出口６１から払い出されたメダルを貯留する受皿部６ａが形成された受皿部材６４と、遊技者の喫煙の用に供するための灰皿部材６５とから構成されている。
【００４１】
次に、図２を参照して、筐体２の内部構造と前扉３の裏面構造とを説明する。
【００４２】
同図において、筐体２は、前方に開口することで前面開口部２ａが形成され、開口部２ａは、前扉３により閉塞されるようになっている。
【００４３】
筐体２内の上部には、スロットマシン１の全体動作を集中制御するＣＰＵ（マイコン）を備え硬質プラスチックのケースに収納された主制御基板２０が取り付けられている。
【００４４】
筐体２内の中央には、リール１０１ａ、１０１ｂ、１０１ｃを備える可変表示装置を構成するリールユニット１００が設けられている。リールユニット１００は、前扉３が筐体２側に閉じられると前扉３のパネル面４１の表示窓４２にリール１０１ａ、１０１ｂ、１０１ｃが対向するように、所定フレームに位置決めされて取り付けられている。
【００４５】
リールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄による識別情報が描かれている。
【００４６】
遊技者は、パネル面４１の表示窓４２を通して３列のリールに描かれたそれぞれ上下方向３個の図柄（識別情報）を目視できるようになっている。なお、各リール１０１ａ、１０１ｂ、１０１ｃは、それぞれに内蔵されたステッピングモータによって回転駆動される。
【００４７】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００４８】
リールユニット１００の下方には、ホッパ装置２１と、ホッパ装置２１から溢れたメダルを収容するための補助貯留部２２と、主電源装置２３が設けられている。主電源装置２３の側面には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００４９】
次に、前扉３の裏面側上部には、上述の演出用放音部４７ａ、４７ｂに対向してスピーカ３２ａ、３２ｂが取り付けられている。また、スピーカ３２ａ、３２ｂの間には、液晶表示演出装置４８が取り付けられている。更に、液晶表示演出装置４８の裏面側には、電気回路基板で形成されたサブ制御基板３０が取り付けられている。
【００５０】
なお、スロットマシン１全体の動作は、筐体２側に設けられている主制御基板２０によって統括制御されており、サブ制御基板３０は、液晶表示演出装置４８による演出映像の表示制御、照明演出装置４６及び演出用照明部４９ａ、４９ｂを使った演出効果照明制御、並びに演出用放音部４７ａ、４７ｂ、６２ａ、６２ｂを使った演出効果音制御など、ゲームの演出に係る制御を主に行っている。
【００５１】
サブ制御基板３０の下方には、リール１０１ａ、１０１ｂ、１０１ｃを目視させるための透明な表示窓４２が形成されたパネル面４１が配置され、パネル面４１の下方には、前面側のスタートレバー７５及びストップボタン７６ａ、７６ｂ、７６ｃ等の操作スイッチ類の出力信号を主制御基板２０へ転送する中継基板として機能する中央表示基板３３が設けられている。
【００５２】
中央表示基板３３の下方には、メダル選別装置３４が取り付けられている。
メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００５３】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００５４】
このような構造により、スロットマシン１は、複数の識別情報を可変表示可能な可変表示装置としてリールユニット１００を備え、該可変表示装置を収容する筐体２と該筐体２の前面開口部２ａを閉塞する前扉３を有し、該前扉３には、前記可変表示装置の識別情報を視認可能な上部パネル４と、遊技機の機種情報が表示された下部パネル５と、該下部パネル５の下方に設けられ遊技媒体を貯留する受皿部６ａが設けられた受皿ユニット６とを備えている。
【００５５】
次に、図３のブロック図を参照して、スロットマシン１に設けられている制御システムについて説明する。
【００５６】
図３において、主制御基板２０は、ＣＰＵ２００と、記憶部２０１と、メダルクレジット手段２１０とを備えている。
【００５７】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。メダルクレジット手段２１０は、内部貯留するメダルの数であるクレジットをメモリに記憶する。
【００５８】
主制御基板２０には、ベットボタン７２、７３、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板３０等が配線ケーブルで接続されている。
【００５９】
主制御基板２０は、前記操作スイッチ類やメダル選別装置３４からの出力信号によりゲームに係る操作を検出する。主制御基板２０は、動作モードがメダルベット待機状態となっている場合において、メダルセンサ３４ａがメダルを検出した場合、検出したメダルをゲームの賭数に加算する。
【００６０】
また、主制御基板２０は、動作モードがメダルクレジット入力待機状態となっている場合において、メダルセンサ３４ａがメダルを検出した場合、検出したメダルをメダルクレジット手段２１０のクレジットに加算する。ここで、メダルベット待機状態とは、１つのゲームが終了した後、当該ゲームにメダルが賭けられるのを待機している状態のことである。メダルクレジット入力待機状態とは、当該ゲームにメダルが賭けられた後、メダルクレジット手段２１０の前記クレジット数が最大値（例えば５０）になるまでの状態のことである。
【００６１】
主制御基板２０には各リール１０１ａ、１０１ｂ、１０１ｃに設けられる基準位置センサ１２０ａ、１２０ｂ、１２０ｃの検出信号が入力される。主制御基板２０は、基準位置センサ１２０ａ、１２０ｂ、１２０ｃの検出信号により各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００６２】
主制御基板２０は、入賞が確定した場合等において、ホッパ装置２１を制御することで、所定数のメダルを受皿部６ａに払い出す。
【００６３】
また、主制御基板２０は、精算ボタン７７が操作された場合、ゲームに賭けられたメダルをキャンセルしてホッパ装置２１に払い出させるとともに、メダルクレジット手段２１０が内部貯留したメダルを精算してホッパ装置２１に精算前のクレジット数のメダルを払い出させる。
【００６４】
サブ制御基板３０は、主制御基板２０からの制御信号に基づいて液晶表示演出装置４８、照明演出装置４６、演出用照明部４９ａ、４９ｂ、演出用放音部４７ａ、４７ｂ、６２ａ、６２ｂ等の演出装置２３０を制御駆動することで、遊技者の視覚や聴覚に訴える演出をゲームの進行に応じて行っている。
【００６５】
一方、主制御基板２０の記憶部２０１には、入賞抽選テーブル２０３及び内部抽選フラグ２０４が記憶されている。例えばＣＰＵ２００は、スタートレバー７５の操作を検出した時点で図示しない乱数発生装置から乱数値を取得し、入賞抽選テーブル２０３を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０４に記憶する。ここでは、かかる入賞役の抽選方法を「内部抽選」と呼んでいる。
【００６６】
次に、スロットマシン１におけるゲーム動作の概要を説明する。スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が行われる。次に、遊技者がメダル投入部７１にメダルを投入し、もしくは、何れかのベットボタン７２、７３を押圧操作することで、スロットマシン１は、内部に貯留したメダル（クレジット）から当該ゲームに所定枚数のメダルが賭けられゲームを準備する。
【００６７】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０４に記憶される。
【００６８】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０４に対応する入賞役に係る図柄の組合せとが一致しているかどうか判定する。
【００６９】
これら図柄の組合せが内部抽選の入賞役と一致し役への入賞が確定すると、スロットマシン１は、主制御基板２０によりメダルクレジット手段２１０の制御を行い、内部貯留しているメダルのクレジット数が所定の数になるまで、当該役の種類に応じて予め決められた配当数のメダルをクレジット数に加算する。
【００７０】
さらに、スロットマシン１は、前記配当数と前記クレジット数の加算結果が前記所定の数を超過すると、この超過した数のメダルを受皿部６ａへ払い出す。
【００７１】
次に、図４乃至図１３を参照して本発明の一実施形態の要部となる受皿ユニット６及びその周辺部について詳細に説明する。
【００７２】
図４は本実施形態に係る受皿ユニット６及びその周辺部の分解斜視図である。図５は受皿ユニット６の証紙表示窓６０２ａを形成した位置の断面図である。図６は透明プレート８１の正面図である。図７は嵌合キャップ８３を右斜め上から見た斜視図である。図８は嵌合キャップ８３を左斜め下から見た斜視図である。図９は受皿ユニット６の右側側面部６０４の断面図である。図１０は透明プレート８１を挿入する前の透明プレート挿入口３０６及びその周辺部を示す斜視図である。図１１は透明プレート８１を挿入する途中の透明プレート挿入口３０６及びその周辺部を示す断面図である。図１２は透明プレート８１を完全に挿入した状態の透明プレート挿入口３０６及びその周辺部を示す断面図である。図１３は透明プレート８１を完全に挿入した状態の透明プレート挿入口３０６及びその周辺部を示す斜視図である。
【００７３】
図４において、受皿ユニット６は、前扉３の基本構造となる前扉本体３００の下部３０１に複数のねじ３２１、３２１…によりねじ止め固定される。
【００７４】
より詳しく説明すると、前扉本体３００の下部３０１には複数のねじ３２１、３２１…のねじ部がそれぞれ挿入される貫通孔３０２、３０２…が設けられている。受皿ユニット６の背面には複数のねじ３２１、３２１…のねじ部がそれぞれ螺入される複数のねじ孔６２１、６２１…が設けられている。ねじ３２１、３２１…は、前扉本体３００の背面側からそれぞれ貫通孔３０２、３０２…に挿入し、受皿ユニット６のねじ孔６２１、６２１…にそれぞれ螺入することで、受皿ユニット６を前扉本体３００の下部３０１にねじ止め固定する。
【００７５】
受皿ユニット６は、外装部材６３と、受皿部６ａを設けた受皿部材６４と、灰皿部材６５と、板状の透明保護パネル６６とで構成されている。
【００７６】
外装部材６３及び受皿部材６４は、硬質プラスチックを成型加工することで形成されている。灰皿部材６５は、耐熱性の硬質プラスチックを成型加工することで形成されている。透明保護パネル６６は、透明プラスチックを成型加工することで形成されている。
【００７７】
外装部材６３の遊技者に対面する前面部６０１には証紙表示部６０２を形成する３つの略矩形状の証紙表示窓６０２ａ、６０２ｂ、６０２ｃが穿設形成されている。外装部材６３の左右の側面部６０３、６０４の背面には、複数の突起部６０５が設けられている。複数の突起部６０５には、受皿ユニット６を前扉３（図１参照）に固定するためのねじ孔６２１が形成されている。
【００７８】
また、外装部材６３の底面部６０６の上面には、複数の固定用リブ６０７と、外装部材６３を成形加工する際にプラスチック材の冷却による変形を防止するための複数の肉盗みリブ６０８とが形成されている。複数の固定用リブ６０７には、受皿ユニット６を前扉３（図１参照）に固定するためのねじ孔６２１が形成されている。
【００７９】
また、外装部材６３の底面部６０６には、受皿部材６４に設けられた突片６３９に係合する係合爪６０９が形成されている。
【００８０】
受皿部材６４は、前面部６０１と、左右の側面部６３３、６３４と、底面部６３６により形成されて、メダル払出口６１から払い出された遊技媒体（メダル）を貯留するための受皿部６ａが設けられている。底面部６３６の奥部下面側には上述した薄板状の突片６３９が一体的に形成されている。
【００８１】
一方、プレートユニット８０は透明プレート８１と３枚の証紙８２ａ、８２ｂ、８２ｃと嵌合キャップ８３とから構成されている。
【００８２】
前扉本体３００の下部３０１の前面左側及び右側には、それぞ前方に膨出する膨出部３０３、３０４が形成されている。膨出部３０３、３０４は、外装部材６３の左右の側面部６０３、６０４の背面側の内面と嵌合することで、受皿ユニット６を前扉本体３００に仮固定できるようになっている。
【００８３】
また、膨出部３０４には、スリット３０５が形成されている。スリット３０５は、透明プレート８１が挿入される透明プレート挿入口３０６（図９及び図１０参照）と連通している。スリット３０５の右側中央部には嵌合キャップ８３の右側の舌片７０３（図７及び図８参照）が挿入される切り欠き３０６が形成されている。
【００８４】
次に、受皿ユニット６の詳細な構造について説明する。
【００８５】
図５において、外装部材６３の前面部６０１の裏側には、透明保護パネル６６が密接して配置されている。透明保護パネル６６は、証紙表示窓６０２ａ、６０２ｂ、６０２ｃを前面部６０１の裏側から閉塞している。
【００８６】
受皿部材６４は、その底面部６３６が外装部材６３の底面部６０６に形成された複数の固定用リブ６０７（図４参照）及び肉盗み用リブ６０８（図４参照）の上面に載置された状態で、外装部材６３に配置されている。受皿ユニット６は、受皿部材６４の底面部６３６の下面に形成された突片６３９が外装部材６３の底面部６０６に形成された係合爪６０９に係合することで、外装部材６３に受皿部材６４が固定されている。ここで、外装部材６３の前面部６０１に取り付けられた透明保護パネル６６と受皿部材６４の前面部６３１は、空隙を介して対向するように配置され、この空隙がプレートユニット８０の透明プレート８１を収納するための収納スロット６７を形成している。
【００８７】
このような構造により、外装部材６３の前面部６０１と、受皿部材６４の前面部６３１と、透明保護パネル６６とは、前記受皿ユニット６の前面部６００を構成している。受皿ユニット６は、複数のねじ３２１、３２１…によって前扉３に固定される。
【００８８】
次に、プレートユニット８０の透明プレート８１について詳細に説明する。
【００８９】
図６において、透明プレート８１は、例えばアクリル樹脂等の透明プラスチック材等の透光性及び弾性を有する素材を薄板状に形成したものである。
【００９０】
透明プレート８１は、下辺が一直線で形成されるとともに、一端側から順に太幅部９１、中幅部９２、細幅部９３が形成されている。
【００９１】
前記太幅部９１は、透明プレート８１の全長の５／７前後の領域に形成されている。この太幅部９１は前述３枚の証紙８２ａ、８２ｂ、８２ｃを保持している。
【００９２】
証紙８２ａ、８２ｂ、８２ｃは、印面側が透明プレート８１に対向するように配置され、透明プレート８１を介して証紙８２ａ、８２ｂ、８２ｃの印面の情報が視認可能になっている。この構成は、例えば印面側に接着剤層を形成したシールで証紙８２ａ、８２ｂ、８２ｃを作製して透明プレート８１に貼付して構成することができる。
【００９３】
また、太幅部９１の一端側は、透明プレート挿入口３０６（図４参照）への挿入が容易になるように曲線による先細り形状９４が形成されている。太幅部９１の他端側は、上側に形成された傾斜部９５を介して中幅部９２の一端側に繋がっている。中幅部９２は、収納スロット６７（図５参照）内での透明プレート８１の移動を容易にするためのものである。中幅部９２他端側は段部９６を介して細幅部９３に繋がっている。プレートユニット８０（図４参照）は、嵌合キャップ８３（図４及び図７参照）の係止爪７３５（図７参照）が段部９６に係止することで、透明プレート８１と嵌合キャップ８３（図４参照）の間のぐらつきを防止するようになっている。
【００９４】
また、図６において、細幅部９３には嵌合キャップ８３と嵌合するための四角形状の貫通孔９７が形成されている。
【００９５】
次に、嵌合キャップ８３について詳細に説明する。
【００９６】
図７及び図８において、嵌合キャップ８３は、略長辺形状の板状部７０１の前面に透明プレート８１（図６参照）の細幅部９３（図６参照）を挟持する左右の舌片７０２、７０３を突設して形成したものである。
【００９７】
左側の舌片７０２の上下のサイズは、右側の舌片７０３の１／３半分程度の大きさに形成され、左側の舌片７０２の前後のサイズは、右側の舌片７０３の２／３半分程度の大きさに形成されている。
【００９８】
左側の舌片７０２の上辺７２１は、前方に向かって下がる方向に傾斜している。左側の舌片７０２の下辺７２２は、前方に向かって上がる方向に傾斜している。左側の舌片７０２の先端側の辺７２３は、上側が前方に出る方向に傾斜している。
【００９９】
図７に示すように、左側の舌片７０２の右面には、細幅部９３（図６参照）の貫通孔９７（図６参照）の内周に係止する係止爪７２４が形成されている。また、図８に示すように、左側の舌片７０２の左面の基端側には、当該舌片７０２を補強するための凸部７２５が形成されている。
【０１００】
図７及び図８において、右側の舌片７０３の上辺７３１は、前方に向かって下がる方向に傾斜している。右側の舌片７０３の下辺７３２は、前方に向かって上がる方向に傾斜している。右側の舌片７０３の先端側の辺７３３は、上側が前方に出る方向に傾斜している。
【０１０１】
また、右側の舌片７０３には、左側の舌片７０２の外周より若干大きく形成された切り抜き７３４が形成されている。右側の舌片７０３の左面の上側には、透明プレート８１（図６参照）の段部９６（図６参照）に係止する係止爪７３５が形成されている。
【０１０２】
一方、略長辺形状の板状部７０１の上側及び下側には、それぞれ嵌合部７０４、７０５が形成されている。嵌合部７０４、７０５は、透明プレート挿入口３０６（図９及び図１０参照）と嵌合する。
【０１０３】
上側の嵌合部７０４は、内側水平部７４１と、垂直部７４２と、外側水平部７４３とによりＵ字状に形成されている。
【０１０４】
より詳しく説明すると、内側水平部７４１は、板状部７０１の前方に突出して形成されている。垂直部７４２は、内側水平部７４１に先端側に連接し、上方に延出して形成されている。外側水平部７４３は、垂直部７４２の上側から後方に延出して形成されている。外側水平部７４３の上面前側には、透明プレート挿入口３０６の奥方の縁部に係止する爪部７４４が形成されている。外側水平部７４３の後側は、上側に向けて折曲した形状に形成された操作部７４５が設けられている。
【０１０５】
下側の嵌合部７０５は、内側水平部７５１と、垂直部７５２と、外側水平部７５３とによりＵ字状に形成されている。
【０１０６】
より詳しく説明すると、内側水平部７５１は、板状部７０１の前方に突出して形成されている。垂直部７５２は、内側水平部７５１に先端側に連接し、下方に延出して形成されている。外側水平部７５３は、垂直部７５２の下側から後方に延出して形成されている。外側水平部７５３の下面前側には、透明プレート挿入口３０６の奥方の縁部に係止する爪部７５４が形成されている。外側水平部７５３の後側は、下側に向けて折曲した形状に形成された操作部７５５が設けられている。
【０１０７】
板状部７０１の上辺には、嵌合部７０４が下方に弾性変形された際に、外側水平部７４３が挿入する切り欠き７０６が形成されている。板状部７０１の下辺には、嵌合部７０５が上方に弾性変形された際に、外側水平部７５３が挿入する切り欠き７０７が形成されている。
【０１０８】
図９及び図１０において、前扉本体３００の内側面の右側には、前扉本体３００を補強するためのフレーム８０１が取り付けられている。フレーム８０１は、断面がコ字状に形成され、ネジ３２１により前扉本体３００とともに右の側面部６０４の突起部６０５に固定されている。
【０１０９】
フレーム８０１の下端近傍には、収納スロット６７(図５参照)と連通し前記透明プレート８１がその一端側から挿入される透明プレート挿入口３０６が設けられている。透明プレート挿入口３０６は、膨出部３０４の内径より若干小径に形成されており、透明プレート挿入口３０６の前面側の縁部に嵌合キャップ８３の爪部７４４、７５４(図７及び図８参照)が係止できるようになっている。
【０１１０】
また、嵌合キャップ８３の板状部７０１は、上下のサイズが透明プレート挿入口３０６と略同寸法に形成され、左右のサイズが透明プレート挿入口３０６より広く形成されているので、その前面が透明プレート挿入口３０６の外側の縁部に係止し、透明プレート挿入口３０６に挿入しないようになっている。
【０１１１】
図１１において、外装部材６３の右の側面部６０４と受皿部材６４の右の側面部６３４との間には、前記受皿ユニット６の内部空間６４０が形成される。
【０１１２】
図９において、右の側面部６０４の内面６１０には、透明プレート８１を誘導するための誘導部６１１が形成されている。誘導部６１１は右側面部６０４の内面６１０に上下のレール６１２、６１３を形成したものある。上下のレール６１２、６１３は内面６１０から突出する段部となっている。透明プレート８１は、弾性を有しており、力を加えない状態では直線状態で安定している。このため、透明プレート挿入口３０６に挿入中の透明プレート８１は、その先端が右側面部６０４の内面６１０に接触するまでは直線状態を保った状態で挿入され、先端が内面６１０に接触すると、内面６１０に沿って左側に湾曲し、収納スロット６７（図５参照）に誘導される。
【０１１３】
このような構造により、図１に示すスロットマシン１は図６に示す透明プレート８１を備えている。
【０１１４】
図６に示す透明プレート８１は、透光性を有する素材で形成され、証紙８２ａ、８２ｂ、８２ｃを保持する。
【０１１５】
図５に示す受皿ユニット６の前面部６００には、証紙６０２ａ、６０２ｂ、６０２ｃ（図６参照）と、透明プレート８１が収納される収納スロット６７を設けている。
【０１１６】
図１０に示す前扉３の内側面には、前記受皿ユニット６の内部空間６４０（図１１参照）を介して収納スロット６７と連通し前記透明プレート８１の一端側から当該透明プレート８１が挿入される透明プレート挿入口３０６が設けられている。
【０１１７】
収納スロット６７は、透明プレート挿入口３０６から挿入された前記透明プレート８１を、前記証紙表示窓６０２ａ、６０２ｂ、６０２ｃ（図４参照）から当該透明プレート８１を介して前記証紙８２ａ、８２ｂ、８２ｃが視認可能な状態で収納する。
【０１１８】
嵌合キャップ８３は、透明プレート８１の他端側を保持し、当該透明プレート８１が収納スロット６７に収納された状態で透明プレート挿入口３０６と嵌合する嵌合部材となっている。
【０１１９】
図４に示す透明保護パネル６６は、透光性を有する材質で形成され、前記証紙表示窓６０２ａ、６０２ｂ、６０２ｃを閉塞する透光性部材となっている。
【０１２０】
次に、プレートユニット８０の組み立て作業について説明する。
【０１２１】
プレートユニット８０の組み立てる場合、まず作業者は、図６に示すように、透明プレート８１の太幅部９１の後面に証紙８２ａ、８２ｂ、８２ｃを貼り付ける。次に、作業者は、図６に示す透明プレート８１の細幅部９３を図７に示す嵌合キャップ８３の舌片７０２、７０３の間に差し込み、細幅部９３（図６参照）の貫通孔９７（図６参照）の内周に係止爪７２４（図７参照）を係止させるとともに、透明プレート８１の段部９６（図６参照）に嵌合キャップ８３（図４及び図７参照）の爪部７３５（図７参照）を係止させる。これにより、図１０に示すプレートユニット８０が完成する。
【０１２２】
次に、スロットマシン１にプレートユニット８０の取り付ける場合の作業を説明する。
【０１２３】
スロットマシン１にプレートユニット８０の取り付ける場合、作業者は、まず図１に示すスロットマシン１の鍵穴７８に所定の鍵を挿入して開錠操作し、蝶番機構によって筐体２に取り付けられている前扉３を前方へ開く。これにより、図１０に示すように、前扉本体３００の内側面に設けられた透明プレート挿入口３０６が外部に露出する。次に、作業者は、透明プレート８１の一端側となる太幅部９１の先端をプレート挿入口３０６に向け、図１１に示すように透明プレート８１をプレート挿入口３０６に挿入する。ここで、透明プレート８１は、太幅部９１の先端が右側面部６０４の内面６１０に接触するまでは直線状態を保った状態で挿入され、前記先端が内面６１０に接触すると、内面６１０に沿って左側に湾曲し、矢印Ａに示すように収納スロット６７に誘導され、透明プレート８１の太幅部９１が収納スロット６７に格納させる。そして作業者は、嵌合キャップ８３の操作部７４５、７５５（図７及び図８参照）をそれぞれ上下から圧迫して爪部７４４、７５４（図７及び図８参照）の間隔を狭くし、嵌合キャップ８３の上下の嵌合部７０４、７０５（図７及び図８参照）を透明プレート挿入口３０６に挿入し、嵌合部７０４、７０５（図７及び図８参照）の爪部７４４、７５４（図７及び図８参照）を透明プレート挿入口３０６の奥方の縁部に係止することで、嵌合キャップ８３を透明プレート挿入口３０６に嵌合させ、図１２及び図１３に示すように、前扉本体３００にプレートユニット８０を固定する。
【０１２４】
この状態では、外装部材６３の前面部６０１の透明保護パネル６６が取り付けられた部分と受皿部材６４の前面部６３１との間に形成された収納スロット６７内には透明プレート８１が収納されている。透明プレート８１に保持された証紙８２ａ、８２ｂ、８２ｃは、透明プレート８１と受皿部材６４の前面部６３１との間に配置される。これにより証紙８２ａ、８２ｂ、８２ｃは、外装部材６３の前面部に穿設形成された証紙表示窓６０２ａ、６０２ｂ、６０２ｃから透明保護パネル６６及び当該透明プレート８１を介して視認可能なる。即ち、遊技者側からは、透明保護パネル６６及び透明プレート８１を介して証紙８２ａ、８２ｂ、８２ｃの記載内容は確認できるが、証紙８２ａ、８２ｂ、８２ｃを直接剥離若しくは交換できないようになっている。
【０１２５】
また、嵌合キャップ８３は、収納スロット６７にプレートユニット８０を収納した状態で、透明プレート挿入口３０６に嵌合するので、スロットマシン１に強い衝撃が加わった場合において、収納スロット６７から透明プレート８１がずれて移動するのを防止できる。
【０１２６】
従って、本実施形態では、スロットマシン１の外部から証紙８２ａ、８２ｂ、８２ｃを含めてプレートユニット８０を操作できないようにして、証紙８２ａ、８２ｂ、８２ｃを交換する等の不正行為を防止している。なお、遊技機の設計変更や他の機種への受皿ユニット６の再利用等の事情が生じた場合には、前扉３を前方へ開き、嵌合キャップ８３の操作部７４５、７５５をそれぞれ上下から圧迫して爪部７４４、７５４の間隔を狭くし、嵌合部７０４、７０５の爪部７４４、７５４の係止を解除し、嵌合キャップ８３を透明プレート挿入口３０６から引き抜くことで、透明プレート８１を透明プレート挿入口３０６から引き出すことができ、容易に証紙８２ａ、８２ｂ、８２ｃの交換に対応することができる。
【０１２７】
以上説明したように本実施形態のスロットマシン１によれば、証紙８２ａ、８２ｂ、８２ｃを保持する透明プレート８１を、前扉３の内側面に設けられた透明プレート挿入口３０６から収納スロット６７に挿入することで、証紙表示窓６０２ａ、６０２ｂ、６０２ｃから当該透明プレート８１を介して前記証紙８２ａ、８２ｂ、８２ｃが視認可能となる構造を採用しているので、簡単な構成により、スロットマシン１のパネルの意匠性を損なうことなく、作業性が良好で、かつ不正行為を困難にすることができる。
【０１２８】
また、本実施形態のスロットマシン１によれば、証紙８２ａ、８２ｂ、８２ｃを配置する際に、下部パネル５１を取り外す必要がないので、証紙８２ａ、８２ｂ、８２ｃの配置作業性を向上することができる。
【０１２９】
さらに、本実施形態のスロットマシン１によれば、証紙８２ａ、８２ｂ、８２ｃを透明プレート８１に貼付して保持させ、嵌合キャップ８３を取り付けてプレートユニット８０としてユニット化することにより、薄紙状で接着剤が塗布された証紙８２ａ、８２ｂ、８２ｃの取り扱いが容易になる。
【０１３０】
さらに、本実施形態のスロットマシン１によれば、前記透明プレート８１の他端側を保持する嵌合キャップ８３が透明プレート挿入口３０６と嵌合することで、収納スロット６７内における透明プレート８１の位置決めを容易にすることができる。
【０１３１】
さらに、本実施形態のスロットマシン１によれば、透明プレート８１に対する証紙表示窓６０２ａ、６０２ｂ、６０２ｃの外側からの接触を透明保護パネル６６により防止できるので、不正行為がさらに確実に防止することができる。
【０１３２】
なお、本実施形態において「証紙」とは、公的機関による試験の適合を証する証紙及び特許権等の実施許諾を証する証紙のほか、各遊技機の個別情報（機種情報や製造情報）を符号や数字等で記録した遊技機メーカが独自に使用する識別ラベル等を含むものである。
【産業上の利用可能性】
【０１３３】
本発明は、スロットマシンに限らず、各種証紙を表示するパチンコ機等その他の遊技機にも応用することができる。
【図面の簡単な説明】
【０１３４】
【図１】図１は、本発明の一実施形態によるスロットマシンの外観構造を表した正面図である。
【図２】図２は、本発明の一実施形態によるスロットマシンの内部構造を表した平面図である。
【図３】図３は、本発明の一実施形態によるスロットマシンの制御システムを表したブロック図である。
【図４】図４は、本発明の一実施形態による本実施形態に係る受皿ユニット及びその周辺部の分解斜視図である。
【図５】図５は、本発明の一実施形態による受皿ユニットの証紙表示窓を形成した位置の断面図である。
【図６】図６は、本発明の一実施形態による透明プレートの正面図である。
【図７】図７は、本発明の一実施形態による嵌合キャップを右斜め上から見た斜視図である。
【図８】図８は、本発明の一実施形態による嵌合キャップを左斜め下から見た斜視図である。
【図９】図９は、本発明の一実施形態による受皿ユニットの右側側面部の断面図である。
【図１０】図１０は、本発明の一実施形態による透明プレートを挿入する前の透明プレート挿入口及びその周辺部を示す斜視図である。
【図１１】図１１は、本発明の一実施形態による透明プレートを挿入する途中の透明プレート挿入口及びその周辺部を示す断面図である。
【図１２】図１２は、本発明の一実施形態による透明プレートを完全に挿入した状態の透明プレート挿入口及びその周辺部を示す断面図である。
【図１３】図１３は、本発明の一実施形態による透明プレートを完全に挿入した状態の透明プレート挿入口及びその周辺部を示す斜視図である。
【図１４】図１４は、従来のスロットマシンの外観を示す斜視図である。
【図１５】図１５は、従来のスロットマシンの前扉及び前面下部パネル部を開放した状態を示す斜視図である。
【符号の説明】
【０１３５】
１…スロットマシン、２…筐体、２ａ…前面開口部、３…前扉、
４…上部パネル部、５…下部パネル部、６…受皿ユニット、
６ａ…受皿部、７…操作卓、２０…主制御基板、２１…ホッパ装置、
２２…補助貯留部、２３…主電源装置、２４…電源装置基板、
２５…外部集中端子基板、３０…サブ制御基板、
３２ａ、３２ｂ…スピーカ、３３…中央表示基板、
３４…メダル選別装置、３５…ガイド部材、３６…ガイド部材、
３７…ガイド部材、３８ａ、３８ｂ…スピーカ、４１…パネル面、
４２…表示窓、４６ａ…レンズパネル、４６…照明演出装置、
４７ａ、４７ｂ…演出用放音部、４８ａ…表示窓、
４８…液晶表示演出装置、４９ａ、４９ｂ…演出用照明部、
５１…下部パネル、６１…メダル払出口、
６２ａ、６２ｂ…演出用放音部、６３…外装部材、６４…受皿部材、
６５…灰皿部材、６６…透明保護パネル、
６７…収納スロット、７１ａ…メダル投入口、７１…メダル投入部、
７２、７３…ベットボタン、７５…スタートレバー、
７７…精算ボタン、７６ａ、７６ｂ、７６ｃ…ストップボタン、
７８…鍵穴、８０…プレートユニット、８１…透明プレート、
８２ａ、８２ｂ、８２ｃ…証紙、８３…嵌合キャップ、９１…太幅部、
９２…中幅部、９３…細幅部、９４…先細り形状、９５…傾斜部、
９６…段部、１００…リールユニット、
１０１ａ、１０１ｂ、１０１ｃ…リール、
１１０ａ、１１０ｂ、１１０ｃ…ステッピングモータ、
１２０ａ、１２０ｂ、１２０ｃ…基準位置センサ、
１３０…回胴装置基板、２００…ＣＰＵ、２０１…記憶部、
２０２…システムプログラム、２０３…入賞抽選テーブル、
２０４…内部抽選フラグ、２１０…メダルクレジット手段、
２３０…演出装置、３００…前扉本体、３０１…下部、
３０２、３０２…貫通孔、３０３、３０４…膨出部、
３０５…スリット、３０６…透明プレート挿入口、
３２１、３２１…ねじ、５０１…スロットマシン、５０３…前扉、
５５０…前面下部パネル部、５０２…筐体、５０２…筐体、
５０３…前扉、５０４…上部パネル部、５０５…パネル、
５１０ａ、５１０ｂ…表示窓、５１１ａ、５１１ｂ…証紙、
５２０ａ、５２０ｂ…係止突片、５２１ａ、５２１ｂ…係止孔、
５２２ａ、５２２ｂ…冷陰極蛍光管、５２３…ヒンジ、
５５０…下部パネル部、６００、６０１…前面部、
６０２ａ、６０２ｂ、６０２ｃ…証紙表示窓、
６０３、６０４…側面部、６０５…突起部、６０６…底面部、
６０７…固定用リブ、６０８…肉盗みリブ、６０９…係合爪、
６１０…内面、６１１…誘導部、６１２、６１３…レール、
６２１…ねじ孔、６３０…証紙表示部、
６３０ａ、６３０ｂ、６３０ｃ…証紙表示窓、６３１…前面部、
６３３、６３４…側面部、６３６…底面部、６３９…突片、
６４０…内部空間、７３５…爪部、７０１…板状部、
７０２、７０３…舌片、７０４、７０５…嵌合部、
７０６…切り欠き、７０７…切り欠き、７２１…上辺、
７２２…下辺、７２３…辺、７２４…係止爪、７２５…凸部、
７３１…上辺、７３２…下辺、７３３…辺、７３４…切り抜き、
７３５…係止爪、７４１…内側水平部、７４２…垂直部、
７４３…外側水平部、７４４…爪部、７４５…操作部、
７０５…嵌合部、７５１…内側水平部、７５２…垂直部、
７５３…外側水平部、７５４…爪部、７５５…操作部、
８０１…フレーム
【図１】
2008104577.tif 000003
【図２】
2008104577.tif 000004
【図３】
2008104577.tif 000005
【図４】
2008104577.tif 000006
【図５】
2008104577.tif 000007
【図６】
2008104577.tif 000008
【図７】
2008104577.tif 000009
【図８】
2008104577.tif 000010
【図９】
2008104577.tif 000011
【図１０】
2008104577.tif 000012
【図１１】
2008104577.tif 000013
【図１２】
2008104577.tif 000014
【図１３】
2008104577.tif 000015
【図１４】
2008104577.tif 000016
【図１５】
2008104577.tif 000017